(57)【要約】【課題】  ケージで形成するペット収納空間を拡大形成できるようにする。【解決手段】  天板３と左右側板４と背板５とで家具本体６を形成し、かつその内部に収容空間７を形成し、この収容空間７内にケージ形成体Ａを収納している。前記ケージ形成体Ａは、左右各側板４の前部に枢支されていて収容空間７前面を塞ぐ前面位置から外方へ揺動して突出可能な第１揺動扉枠９と、左右各第１揺動扉枠９の自由端に枢支されていて互いに対向する方向に展開可能な第２揺動扉枠１０と、前記左右第１揺動扉枠９を突出しかつ前記第２揺動扉枠１０を展開して前記収容空間７の前側に延長収容空間７Ｅを形成した状態で、前記展開した左右第２揺動扉枠１０を連結可能な連結部材１１とを有する。【選択図】図１
2019092448.tif 000002
【特許請求の範囲】
【請求項１】
天板（３）と左右側板（４）と背板（５）とで家具本体（６）を形成し、かつその内部に収容空間（７）を形成し、この収容空間（７）内にケージ形成体（Ａ）を収納したペット収容家具であって、
前記ケージ形成体（Ａ）は、左右各側板（４）の前部に枢支されていて収容空間（７）前面を塞ぐ前面位置から外方へ揺動して突出可能な第１揺動扉枠（９）と、左右各第１揺動扉枠（９）の自由端に枢支されていて互いに対向する方向に展開可能な第２揺動扉枠（１０）と、前記左右第１揺動扉枠（９）を突出しかつ前記第２揺動扉枠（１０）を展開して前記収容空間（７）の前側に延長収容空間（７Ｅ）を形成した状態で、前記展開した左右第２揺動扉枠（１０）を連結可能な連結部材（１１）とを有することを特徴とするペット収容家具。
【請求項２】
前記左右側板（４）の前部に蝶番を介して第１揺動扉枠（９）を連結し、前記左右各第１揺動扉枠（９）の自由端に蝶番を介して第２揺動扉枠（１０）を連結しており、第１揺動扉枠（９）は第２揺動扉枠（１０）を折り畳んだ状態で左右側板（４）間の収容空間（７）前面位置に配置可能であり、
前記左右の第１揺動扉枠（９）及び第２揺動扉枠（１０）の少なくとも一方の下部に家具本体（６）の床面に接する接地体（１３）を設けていることを特徴とする請求項１に記載のペット収容家具。
【請求項３】
前記天板（３）の下面に、第１揺動扉枠（９）に折り畳まれた第２揺動扉枠（１０）の上部と当接して収容空間（７）奥への移動を阻止するストッパ（１４）を設けていることを特徴とする請求項２に記載のペット収容家具。
【請求項４】
前記連結部材（１１）は、左右第２揺動扉枠（１０）の上部に同時に嵌合可能でありかつ一方のみにも嵌合可能な断面略コ字状の金具であることを特徴とする請求項１〜３のいずれか１項に記載のペット収容家具。
【請求項５】
前記第１揺動扉枠（９）と第２揺動扉枠（１０）の内の少なくとも一方は、一対の縦材（Ｌ）の上下端部をそれぞれ上下横材（Ｈ）で連結し、複数本の平行な棒材（Ｓ）を一対の縦材（Ｌ）間で上下横材（Ｈ）に着脱自在に連結していることを特徴とする請求項１〜４のいずれか１項に記載のペット収容家具。
【発明の詳細な説明】
【技術分野】
【０００１】
本発明は、ペット収容ケージを備えたペット収容家具に関する。
【背景技術】
【０００２】
犬、猫等のペットを飼育可能にしたペット収容家具として、特許文献１の図６に記載された技術は、囲み枠に左右一対のサークルフェンス収納ユニットを収納しており、左右各サークルフェンス収納ユニットは、正面視縦長の形状をした筐体の内側面に、スライド部材を設けて、複数のフェンスパネルを幾重にも折畳んだ状態のままスライドするようにして収納してあり、このフェンスパネル同士は、蝶番によって両方向に拡開自在になるように連結されており、拘束側の一端は幾分か上下方向に移動できるように拘束されており、使用する際に筐体から折畳まれた状態のフェンスパネルを引き出し、適宜ペットのプレイスペースとなる領域を確保するようにしている。
【先行技術文献】
【特許文献】
【０００３】
【特許文献１】実用新案登録第３１１６４５８号公報
【発明の概要】
【発明が解決しようとする課題】
【０００４】
前記従来技術は、囲み枠からフェンスパネルを引き出してペットのプレイスペースを必要なときに区画し、設置することができ、必要のないときは、ペットの室内飼育用ユニットに完全に収納することができるため、比較的大きいために収納が困難であるサークルフェンスが、室内に収納されないまま放置されることを回避できる。
しかしながら、前記従来技術は、囲み枠の前面にフェンスパネルによってペット収納空間が形成されるだけで、囲み枠自体にはペット収納空間、特にフェンスパネルを折り畳み収納していた空間はペットを収納するのには利用されていなく、ペット収納空間を拡大形成することが困難になっている。
【０００５】
本発明は、このような従来技術の問題点を解決できるようにしたペット収容家具を提供することを目的とする。
本発明は、家具本体内部の収容空間からケージ形成体の左右の第１揺動扉枠と第２揺動扉枠とを突出して、収容空間の前側に延長収容空間を形成することにより、ケージで形成するペット収納空間を拡大形成できるようにしたペット収容家具を提供することを目的とする。
【課題を解決するための手段】
【０００６】
本発明における課題解決のための具体的手段は、次の通りである。
第１に、天板３と左右側板４と背板５とで家具本体６を形成し、かつその内部に収容空間７を形成し、この収容空間７内にケージ形成体Ａを収納したペット収容家具であって、
前記ケージ形成体Ａは、左右各側板４の前部に枢支されていて収容空間７前面を塞ぐ前面位置から外方へ揺動して突出可能な第１揺動扉枠９と、左右各第１揺動扉枠９の自由端に枢支されていて互いに対向する方向に展開可能な第２揺動扉枠１０と、前記左右第１揺動扉枠９を突出しかつ前記第２揺動扉枠１０を展開して前記収容空間７の前側に延長収容空間７Ｅを形成した状態で、前記展開した左右第２揺動扉枠１０を連結可能な連結部材１１とを有することを特徴とする。
【０００７】
第２に、前記左右側板４の前部に蝶番を介して第１揺動扉枠９を連結し、前記左右各第１揺動扉枠９の自由端に蝶番を介して第２揺動扉枠１０を連結しており、第１揺動扉枠９は第２揺動扉枠１０を折り畳んだ状態で左右側板４間の収容空間７前面位置に配置可能であり、
前記左右の第１揺動扉枠９及び第２揺動扉枠１０の少なくとも一方の下部に家具本体６の床面に接する接地体１３を設けていることを特徴とする。
【０００８】
第３に、前記天板３の下面に、第１揺動扉枠９に折り畳まれた第２揺動扉枠１０の上部と当接して収容空間７奥への移動を阻止するストッパ１４を設けていることを特徴とする
。
第４に、前記連結部材１１は、左右第２揺動扉枠１０の上部に同時に嵌合可能でありかつ一方のみにも嵌合可能な断面略コ字状の金具であることを特徴とする。
【０００９】
第５に、前記第１揺動扉枠９と第２揺動扉枠１０の内の少なくとも一方は、一対の縦材Ｌの上下端部をそれぞれ上下横材Ｈで連結し、複数本の平行な棒材Ｓを一対の縦材Ｌ間で上下横材Ｈに着脱自在に連結していることを特徴とする。
【発明の効果】
【００１０】
本発明によれば、家具本体内部の収容空間からケージ形成体の左右の第１揺動扉枠と第２揺動扉枠とを突出して、収容空間の前側に延長収容空間を形成することができ、ケージで形成するペット収納空間を拡大形成できる。
即ち、請求項１に係る発明は、家具本体６の収容空間７の前面を塞ぐ前面位置から、ケージ形成体Ａの左右の第１揺動扉枠９と第２揺動扉枠１０とを外方に突出展開することにより、収容空間７の前側に延長収容空間７Ｅを形成することができ、収容空間７には底板がないので、バリアフリーの拡大されたペット収納空間を形成できる。
【００１１】
請求項２に係る発明は、左右側板４の前部と第１揺動扉枠９、左右各第１揺動扉枠９と第２揺動扉枠１０をそれぞれ蝶番を介して連結して、折り畳んだ状態で収容空間７前面位置にコンパクトに収納しておくことができ、家具本体６の床面に接する接地体１３によって、第１揺動扉枠９及び第２揺動扉枠１０の展開・収納が円滑にできる。
請求項３に係る発明は、折り畳まれた第１揺動扉枠９及び第２揺動扉枠１０はストッパ１４によって収容空間７の前面位置に収納されるので、これらは収容空間７の前面を塞いで家具の前面部材として機能できる。
【００１２】
請求項４に係る発明は、連結部材１１は断面略コ字状の金具であって、左右第２揺動扉枠１０の上部に同時に嵌合して、両者の連結ができ、第１揺動扉枠９及び第２揺動扉枠１０を折り畳んで収納するときは、一方の第２揺動扉枠１０に嵌合しておけば、家具本体内部の収容空間に配置され、家具外部から見えなくすることができる。
請求項５に係る発明は、第１揺動扉枠９と第２揺動扉枠１０の内の少なくとも一方は、一対の縦材Ｌ間の棒材Ｓが上下横材Ｈに着脱自在に連結されているので、揺動扉枠の清掃、棒材Ｓの取り替え等が容易になる。
【図面の簡単な説明】
【００１３】
【図１】本発明の実施形態を示すケージ形成体展開状態の斜視図である。
【図２】ケージ形成体収納状態の斜視図である。
【図３】図１のＸ−Ｘ線断面図である。
【図４】ケージ形成体展開状態の断面側面図である。
【発明を実施するための形態】
【００１４】
以下、本発明の実施の形態を図面に基づいて説明する。
図１〜４において、ペット収容家具１は天板３と左右側板４と背板５とで家具本体６を形成し、かつその内部に収容空間７を形成し、この収容空間７内にケージ形成体Ａを収納している。
前記家具本体６は天板３上に上背板１６、仕切り板１７、この仕切り板１７の上の棚板１８等を有し、左右側板４の上部は上背板１６及び棚板１８と連結されている。家具本体６には底板は設けられていなく、左右側板４と背板５とで区画された収容空間７はその底は家具接地面になっている。
【００１５】
収容空間７内に収納されているケージ形成体Ａは、前方へ展開することにより、ペットを飼育する空間を形成するケージとなるものである。
ケージ形成体Ａは、基部が左右各側板４の前部に枢支された第１揺動扉枠９と、この左右各第１揺動扉枠９の自由端に枢支された第２揺動扉枠１０と、左右第２揺動扉枠１０を連結する連結部材１１とを有する。
【００１６】
前記第１揺動扉枠９と第２揺動扉枠１０とは略同一形状であり、一対の縦材Ｌの上下端部をそれぞれ上下横材Ｈで連結し、複数本の平行な棒材Ｓを一対の縦材Ｌ間で上下横材Ｈに着脱自在に連結している。棒材Ｓは細い線材又はパイプ材で形成され、図４に示される
ように、上下横材Ｈの対向面に形成された孔２１に挿入されている。
前記第１揺動扉枠９と第２揺動扉枠１０とは少なくとも一方が棒材Ｓを有してケージ内を見られるようにしておけばよく、棒材Ｓを使用しない場合は、一対の縦材Ｌと上下横材Ｈで囲まれる空間に板材、ガラス板又は格子材等を嵌め込んで扉枠を形成する。
【００１７】
前記第１揺動扉枠９の基部は側板４の内面前部に上下一対の蝶番Ｔを介して枢支連結され、天板３の前縁と平行な位置、即ち、収容空間７前面を塞ぐ前面位置から外方へ揺動可能であり、９０度外方へ揺動すると側板４から前方へ突出した観音開き状の展開位置になる。
第２揺動扉枠１０の基部は第１揺動扉枠９の自由端に上下一対の蝶番Ｔを介して枢支連結され、第１揺動扉枠９と平行な折り畳み位置から、第１揺動扉枠９に対して９０度に開いた位置、及び１８０度開いた延長位置とに展開可能になっている。
【００１８】
前記左右の第２揺動扉枠１０の下部、基部側と自由端側とに家具本体６の床面に接する接地体１３を設けている。この接地体１３は第１揺動扉枠９及び第２揺動扉枠１０の展開・収納を円滑にするためのものであり、左右の第１揺動扉枠９の自由端側の下部に設けてもよい。
前記第２揺動扉枠１０を第１揺動扉枠９に対して折り畳み、かつ第１揺動扉枠９を収容空間７前面を塞ぐ前面位置へ移動すると（図３に仮想線で示す。）、第１揺動扉枠９及び第２揺動扉枠１０は収容空間７の前部に収納される（図２に実線で示す。）。
【００１９】
その収納状態から左右の第１揺動扉枠９を前方へ揺動し、左右の第２揺動扉枠１０を第１揺動扉枠９に対して９０度開く（互いに対向する方向に展開していく）と、左右の第２揺動扉枠１０は自由端同士が対向し、左右の第１揺動扉枠９及び第２揺動扉枠１０は平面視コの字状のケージを形成し、収容空間７の前側に延長収容空間７Ｅを形成する（図１、３、４に実線で示す。）。前記収容空間７には底板がないので、延長収容空間７Ｅは収容空間７の前側に連通していてバリアフリーの拡大されたペット収納空間となる。第１揺動扉枠９及び第２揺動扉枠１０は左右片方ずつ展開してもよい。
【００２０】
前記蝶番Ｔは第２揺動扉枠１０の基部の端面と第１揺動扉枠９の自由端の端面とに取り付けられており、ケージを展開したとき、蝶番Ｔはケージの外側から目視できる位置にあり、ケージの内側に露出していないので、延長収容空間７Ｅに収納されるペットとの触れ合いは回避されるようになっている。
前記対向する左右の第２揺動扉枠１０の自由端は連結部材１１で連結される。この連結部材１１は断面略コ字状の金具であり、左右第２揺動扉枠１０の上部に同時に嵌合して両者を連結し、連結位置からスライドして一方の第２揺動扉枠１０のみに嵌合して連結を解消することができる。
【００２１】
連結部材１１は上部が第２揺動扉枠１０の上横材Ｈに上から嵌合して密接する断面コ字形状であり、前側は後側より下方に突出しかつ上横材Ｈから離れる方向に突出しており、この下方突出部分１１ａを把持して、第２揺動扉枠１０に対する連結部材１１のスライド及び着脱ができるようになっている。
前記ケージ形成体Ａを収容空間７内に収納するとき、また、第２揺動扉枠１０を第１揺動扉枠９に対して１８０度開くとき、連結部材１１は一方の第２揺動扉枠１０のみに嵌合させておく。
【００２２】
前記第２揺動扉枠１０を第１揺動扉枠９に対して１８０度開くと、左右の第２揺動扉枠１０は左右各第１揺動扉枠９と直線状配置となり、延長収容空間７Ｅは前方に開放され、収容空間７の奥まで掃除ができるようになる。
前記天板３の左右方向中央の下面にストッパ１４を設けている。このストッパ１４はマグネットキャッチで形成され、左右第２揺動扉枠１０の枢支側基部の上部に鉄板等の磁着板１９が設けられており、第２揺動扉枠１０を折り畳んだ状態の第１揺動扉枠９を収容空間７内へ揺動すると、第２揺動扉枠１０の磁着板１９がストッパ１４と当接して磁着され、第１揺動扉枠９及び第２揺動扉枠１０が収容空間７奥へ移動するのを阻止し、かつ収納状態を維持する。
【００２３】
なお、本発明は前記実施形態に限定されるものではなく、部材の形状、構成及び組み合
わせ等を変更したりすることもできる。
例えば、連結部材１１は断面略コ字状の金具の代わりに、一方の第２揺動扉枠１０に打ち板を枢支し、他方の第２揺動扉枠１０に掛け受けを設ける「打掛」であってもよい。
家具本体６は天板３の上側や左右側板４の側方に引き出しや物品収納部を形成してもよく、また、ストッパ１４は第２揺動扉枠１０が収容空間７奥へ移動を規制する木片であってもよい。
【符号の説明】
【００２４】
１        ペット収容家具
３        天板
４        側板
５        背板
６        家具本体
７        収容空間
７Ｅ      延長収容空間
９        揺動扉枠
１０      揺動扉枠
１１      連結部材
１１ａ    下方突出部分
１３      接地体
１４      ストッパ
１９      磁着板
Ａ        ケージ形成体
Ｈ        上下横材
Ｈ        上横材
Ｌ        縦材
Ｓ        棒材
Ｔ        蝶番
【図１】
2019092448.tif 000003
【図２】
2019092448.tif 000004
【図３】
2019092448.tif 000005
【図４】
2019092448.tif 000006
【手続補正書】
【提出日】平成31年1月30日(2019.1.30)
【手続補正１】
【補正対象書類名】特許請求の範囲
【補正対象項目名】請求項２
【補正方法】変更
【補正の内容】
【請求項２】
前記左右側板（４）の前部に蝶番を介して第１揺動扉枠（９）を連結し、前記左右各第１揺動扉枠（９）の自由端に蝶番を介して第２揺動扉枠（１０）を連結しており、第１揺動扉枠（９）は第２揺動扉枠（１０）を折り畳んだ状態で左右側板（４）間の収容空間（７）前面位置に配置可能であり、
前記左右の第１揺動扉枠（９）及び第２揺動扉枠（１０）の少なくとも一方の下部に家具本体（６）の家具設置面に接する接地体（１３）を設けていることを特徴とする請求項１に記載のペット収容家具。
【手続補正２】
【補正対象書類名】明細書
【補正対象項目名】０００７
【補正方法】変更
【補正の内容】
【０００７】
第２に、前記左右側板４の前部に蝶番を介して第１揺動扉枠９を連結し、前記左右各第１揺動扉枠９の自由端に蝶番を介して第２揺動扉枠１０を連結しており、第１揺動扉枠９は第２揺動扉枠１０を折り畳んだ状態で左右側板４間の収容空間７前面位置に配置可能であり、
前記左右の第１揺動扉枠９及び第２揺動扉枠１０の少なくとも一方の下部に家具本体６の家具設置面に接する接地体１３を設けていることを特徴とする。
【手続補正３】
【補正対象書類名】明細書
【補正対象項目名】００１４
【補正方法】変更
【補正の内容】
【００１４】
以下、本発明の実施の形態を図面に基づいて説明する。
図１〜４において、ペット収容家具１は天板３と左右側板４と背板５とで家具本体６を形成し、かつその内部に収容空間７を形成し、この収容空間７内にケージ形成体Ａを収納している。
前記家具本体６は天板３上に上背板１６、仕切り板１７、この仕切り板１７の上の棚板１８等を有し、左右側板４の上部は上背板１６及び棚板１８と連結されている。家具本体６には底板は設けられていなく、左右側板４と背板５とで区画された収容空間７はその底は家具接地面（床面）になっている。